(57)【要約】  【課題】  印刷物に特定の情報を付加することができる画像形成システム、画像形成装置、情報処理装置、及びコンピュータプログラムの提供。  【解決手段】  印刷する文書が選択され（Ｓ１１）、プリンタドライバが起動された場合（Ｓ１２）、情報処理装置１００のＣＰＵは、印刷ジョブの送信要求があるか否かを判断する（Ｓ１３）。印刷ジョブの送信要求があり（Ｓ１３：ＹＥＳ）、潜像モードが設定されている場合（Ｓ１４：ＹＥＳ）、潜像モードを有効にした上で（Ｓ１５）、印刷ジョブを画像形成装置２００へ送信する（Ｓ１７）。画像形成装置２００は印刷ジョブを受信した場合（Ｓ１８：ＹＥＳ）、印刷ジョブを展開し（Ｓ１９）、潜像モードが有効であるか否かを判断する（Ｓ２０）。潜像モードが有効である場合（Ｓ２０：ＹＥＳ）、注釈画像及び地紋画像を生成し（Ｓ２１）、印刷する文書に合成した上で（Ｓ２２）、印刷処理を実行する（Ｓ２３）。【選択図】      図８
2006119735.tif 000002
【特許請求の範囲】
【請求項１】
画像データを受付け、受付けた画像データに基づいて画像形成を要求するジョブを生成し、生成したジョブを外部へ送信する情報処理装置と、該情報処理装置から送信されたジョブを受信し、受信したジョブに基づいてシート上に画像形成を行う画像形成装置とを備える画像形成システムにおいて、
前記情報処理装置は、情報を受付ける手段と、受付けた情報を含んだジョブを生成する手段とを備え、前記画像形成装置は、受信したジョブに含まれる情報に基づき、互いに関連性を有する２種類の画像を含んだ画像データを生成する手段と、生成した画像データを前記ジョブに含まれる画像データに合成する手段とを備え、合成して得られた画像データに基づいてシート上に画像形成を行うようにしてあることを特徴とする画像形成システム。
【請求項２】
画像データを受付け、受付けた画像データに基づいて画像形成を要求するジョブを生成し、生成したジョブを外部へ送信する情報処理装置と、該情報処理装置から送信されたジョブを受信し、受信したジョブに基づいてシート上に画像形成を行う画像形成装置とを備える画像形成システムにおいて、
前記情報処理装置は、情報を受付ける手段と、受付けた情報に基づき、互いに関連性を有する２種類の画像を含んだ画像データを生成する手段と、生成した画像データを、受付けた画像データに合成する手段とを備え、合成して得られた画像データに基づいて送信すべきジョブを生成するようにしてあることを特徴とする画像形成システム。
【請求項３】
前記情報は文字列により構成された情報であり、前記２種類の画像のうち、一方は、前記文字列の一部又は全部を含んだ画像であり、他方は、前記文字列に基づくパターンを埋め込んだ画像であることを特徴とする請求項１又は請求項２に記載の画像形成システム。
【請求項４】
前記パターンを埋め込んだ画像は、地紋画像又は透かし画像であることを特徴とする請求項３に記載の画像形成システム。
【請求項５】
前記情報は、画像形成をしたシートの配布先に関する情報、又は画像形成をしたシートの複写を禁止する旨の情報を含むことを特徴とする請求項１乃至請求項４の何れか１つに記載の画像形成システム。
【請求項６】
前記画像形成装置は、前記情報に基づいて画像形成を行う部数を算出する手段を備え、部数毎に異なる画像データを生成するようにしてあることを特徴とする請求項１、又は請求項３乃至請求項５の何れか１つに記載の画像形成システム。
【請求項７】
前記情報処理装置は、前記情報に基づいて画像形成を行う部数を算出する手段を備え、部数毎に異なる画像データを生成するようにしてあることを特徴とする請求項２乃至請求項５の何れか１つに記載の画像形成システム。
【請求項８】
画像データ及び所定の情報を含み、前記画像データに基づく画像形成を要求するジョブを外部から受信し、受信したジョブに基づいてシート上に画像形成を行う画像形成装置において、
受信したジョブに含まれる情報に基づいて互いに関連性を有する２種類の画像を含んだ画像データを生成する手段と、生成した画像データを、前記ジョブに含まれる画像データに合成する手段とを備え、合成して得られた画像データに基づいてシート上に画像形成を行うようにしてあることを特徴とする画像形成装置。
【請求項９】
前記情報は文字列により構成された情報であり、前記２種類の画像のうち、一方は、前記文字列の一部又は全部を含んだ画像であり、他方は、前記文字列に基づくパターンを埋め込んだ画像であることを特徴とする請求項８に記載の画像形成装置。
【請求項１０】
画像データを受付け、受付けた画像データに基づいて画像形成を要求するジョブを生成し、生成したジョブを外部へ送信する情報処理装置において、
情報を受付ける手段と、受付けた情報に基づき、互いに関連性を有する２種類の画像を含んだ画像データを生成する手段と、生成した画像データを、受付けた画像データに合成する手段とを備え、合成して得られた画像データに基づいて送信すべきジョブを生成するようにしてあることを特徴とする情報処理装置。
【請求項１１】
前記情報は文字列により構成された情報であり、前記２種類の画像のうち、一方は、前記文字列の一部又は全部を含んだ画像であり、他方は、前記文字列に基づくパターンを埋め込んだ画像であることを特徴とする請求項１０に記載の情報処理装置。
【請求項１２】
コンピュータに、受付けた画像データ及び所定の情報を含み、前記画像データに基づく画像形成を要求するジョブを生成させるステップを有するコンピュータプログラムにおいて、
コンピュータに、前記情報に基づいて互いに関連性を有する２種類の画像を含んだ画像データを生成させるステップと、コンピュータに、生成させた画像データを、受付けた画像データに合成させるステップとを有することを特徴とするコンピュータプログラム。
【発明の詳細な説明】
【技術分野】
【０００１】
本発明は、印刷物に特定の情報を付加することができる画像形成システム、該画像形成システムで用いられる画像形成装置及び情報処理装置、並びに前記画像形成システムを実現するためのコンピュータプログラムに関する。
【背景技術】
【０００２】
印刷物の複製を防止する技術の１つとして、複製防止の対象となる文書の背景に地紋パターンを利用する技術が知られている。地紋パターンは、コピー機等により複写を行っても残る大きさのドット（前景ドット）と、複写したときに消えるくらい微小なドット（背景ドット）とにより構成されており、前景ドットにより描いた文字及び図柄が目立たないように前景ドットの周囲に背景ドットを配置している。地紋パターンが形成された印刷物を複写をした場合、背景ドットが消え、前景ドットのみが残るため、前景ドットで描いた文字及び模様が現れる。そのため、前景ドットで描いた「複写禁止」、「機密文書」等の文字を地紋パターンに事前に埋め込んでおくことにより、作成する印刷物自体に複製を抑止する効果を持たせることができる。
【０００３】
近年では、地紋パターンを付加する機能をプリンタドライバに搭載し、地紋パターンを付加した文書をプリンタ装置により印刷することができるようにしている（例えば、特許文献１参照）。この手法では、前記プリンタドライバが組み込まれた情報処理装置の内部にて文書用の画像データと地紋パターン用の画像データとを合成する処理を行い、合成して得られた画像データに基づいて印刷処理を実行し、地紋パターンを背景とした文書を普通紙上に形成している。また、プリンタドライバにて複数種の地紋パターンを用意しておくことにより、文書に応じて地紋パターンを使い分けることも可能である。
【０００４】
また、プリンタ装置、デジタル複合機等の画像形成装置で作成された印刷物の出所を明確にするために、印刷した装置、場所、日時等の特定の情報を含んだ画像を記録する装置が知られている（例えば、特許文献２参照）。このような装置では、特定の情報に基づいてパターン（以下、埋込パターンとする）を作成し、人の目には見えにくい色（例えば、黄色のような淡色系の色）や大きさで用紙上にパターン形成を行っている。そして、不正行為等があった場合、印刷物に付されたパターンの解析を行うことでこの印刷物の出所に関する情報を取得するようにしていた。
【特許文献１】特開平９−１６４７３９号公報
【特許文献２】特開平５−１４６８４号公報
【発明の開示】
【発明が解決しようとする課題】
【０００５】
このように、地紋パターンを文書に付加する場合には、複写を行った時点で付加した画像が浮かび上がれば当初の目的を果たすことができ、また、出所を示す情報に基づいて作成された埋込パターンを付加する場合には、不正行為が行われた時点で解析を行うことにより当初の目的を果たすことができる。そのため、地紋パターンに埋め込まれた情報、埋込パターンに埋め込まれた情報を用紙上に併記することは想定されていない。
【０００６】
ところで、このような地紋パターンや埋込パターンは、パーソナルコンピュータ等の情報処理装置にインストールされたプリンタドライバ、又はプリンタ装置、デジタル複合機等の画像形成装置により作成されるものであるため、利用者自身が設定した情報を埋め込んだ地紋パターン及び埋込パターンを作成することも可能である。そこで、これらのパターンを印刷文書に付加するとともに、埋め込んだ情報を併記する使用環境を提案することができる。例えば、印刷物の配布先に関する情報に基づいて地紋パターン又は埋込パターンを作成し、印刷物に付加するとともに、配布先に関する情報を文字列として記録することが考えられる。この場合、記録した文字列により配布先を明示することができるが、その文字列が修正液等により削除された場合であっても、地紋パターン又は埋込パターンに基づいて配布先の情報を取得することができるため、配布先を限定したい場合には安全性が高い印刷物を提供することができる。しかしながら、前述したように、地紋パターン又は埋込パターンと、パターンに埋め込まれた情報とを併記することは想定されていないため、現状では実現できていないという問題点を有している。
【０００７】
本発明は斯かる事情に鑑みてなされたものであり、受付けたジョブに含まれる情報に基づいて互いに関連性を有する２種類の画像を含んだ画像データ生成し、生成した画像データをジョブに含まれる画像データに合成し、合成して得られた画像データに基づいてシート上に画像形成を行う構成とすることにより、機密性に関して安全性が高い印刷物を作成することができる画像形成システム、該画像形成システムで用いられる画像形成装置及び情報処理装置、並びに前記画像形成システムを実現するためのコンピュータプログラムを提供することを目的とする。
【課題を解決するための手段】
【０００８】
本発明に係る画像形成システムは、画像データを受付け、受付けた画像データに基づいて画像形成を要求するジョブを生成し、生成したジョブを外部へ送信する情報処理装置と、該情報処理装置から送信されたジョブを受信し、受信したジョブに基づいてシート上に画像形成を行う画像形成装置とを備える画像形成システムにおいて、前記情報処理装置は、情報を受付ける手段と、受付けた情報を含んだジョブを生成する手段とを備え、前記画像形成装置は、受信したジョブに含まれる情報に基づき、互いに関連性を有する２種類の画像を含んだ画像データを生成する手段と、生成した画像データを前記ジョブに含まれる画像データに合成する手段とを備え、合成して得られた画像データに基づいてシート上に画像形成を行うようにしてあることを特徴とする。
【０００９】
本発明にあっては、受信したジョブに含まれる情報に基づいて互いに関連性を有する２種類の画像を含んだ画像データを生成し、生成した画像データをジョブに含まれる画像データに合成し、合成して得られた画像データに基づいてシート上に画像形成を行うようにしているため、例えば、１つの情報からその情報を含んだパターン画像、及びその情報を文字列として含んだ画像を印刷する文書に付加した印刷物が作成される。
【００１０】
本発明に係る画像形成システムは、画像データを受付け、受付けた画像データに基づいて画像形成を要求するジョブを生成し、生成したジョブを外部へ送信する情報処理装置と、該情報処理装置から送信されたジョブを受信し、受信したジョブに基づいてシート上に画像形成を行う画像形成装置とを備える画像形成システムにおいて、前記情報処理装置は、情報を受付ける手段と、受付けた情報に基づき、互いに関連性を有する２種類の画像を含んだ画像データを生成する手段と、生成した画像データを、受付けた画像データに合成する手段とを備え、合成して得られた画像データに基づいて送信すべきジョブを生成するようにしてあることを特徴とする。
【００１１】
本発明にあっては、ジョブを送信する際に受付けた情報に基づいて互いに関連性を有する２種類の画像を含んだ画像データ生成し、生成した画像データを印刷対象の画像データに合成し、合成して得られた画像データに基づいてジョブを生成し、画像形成装置へ送信するようにしているため、例えば、１つの情報からその情報を含んだパターン画像、及びその情報を文字列として含んだ画像を印刷する文書に付加した印刷物が作成される。
【００１２】
本発明に係る画像形成システムは、前記情報は文字列により構成された情報であり、前記２種類の画像のうち、一方は、前記文字列の一部又は全部を含んだ画像であり、他方は、前記文字列に基づくパターンを埋め込んだ画像であることを特徴とする。
【００１３】
本発明にあっては、受付ける情報は文字列により構成された情報であり、生成する２種類の画像のうち、一方は文字列の一部又は全部を含んだ画像であり、他方は文字列に基づくパターンを埋め込んだ画像であるため、１つの情報からその情報を文字列として含んだ画像、及びその情報をパターンとして含んだ画像を付加した印刷物が作成される。
【００１４】
本発明に係る画像形成システムは、前記パターンを埋め込んだ画像は、地紋画像又は透かし画像であることを特徴とする。
【００１５】
本発明にあっては、パターンを埋め込んだ画像は、地紋画像又は透かし画像により構成されているため、複製を抑止する効果を印刷物に持たせることができる。
【００１６】
本発明に係る画像形成システムは、前記情報は、画像形成をしたシートの配布先に関する情報、又は画像形成をしたシートの複写を禁止する旨の情報を含むことを特徴とする。
【００１７】
本発明にあっては、受付ける情報は、シートの配布先、シートの複写を禁止する旨の情報を含むため、印刷物の配布先が限定され、機密性に関して安全性が高まる。
【００１８】
本発明に係る画像形成システムは、前記画像形成装置は、前記情報に基づいて画像形成を行う部数を算出する手段を備え、部数毎に異なる画像データを生成するようにしてあることを特徴とする。
【００１９】
本発明にあっては、受付けた情報に基づいて印刷する部数が設定されるため、複数の配布先に配布する印刷物を作成する場合に有用である。
【００２０】
本発明に係る画像形成システムは、前記情報処理装置は、前記情報に基づいて画像形成を行う部数を算出する手段を備え、部数毎に異なる画像データを生成するようにしてあることを特徴とする。
【００２１】
本発明にあっては、受付けた情報に基づいて印刷する部数が設定されるため、複数の配布先に配布する印刷物を作成する場合に有用である。
【００２２】
本発明に係る画像形成装置は、画像データ及び所定の情報を含み、前記画像データに基づく画像形成を要求するジョブを外部から受信し、受信したジョブに基づいてシート上に画像形成を行う画像形成装置において、受信したジョブに含まれる情報に基づいて互いに関連性を有する２種類の画像を含んだ画像データを生成する手段と、生成した画像データを、前記ジョブに含まれる画像データに合成する手段とを備え、合成して得られた画像データに基づいてシート上に画像形成を行うようにしてあることを特徴とする。
【００２３】
本発明にあっては、受信したジョブに含まれる情報に基づいて互いに関連性を有する２種類の画像を含んだ画像データを生成し、生成した画像データをジョブに含まれる画像データに合成し、合成して得られた画像データに基づいてシート上に画像形成を行うようにしているため、例えば、１つの情報からその情報を含んだパターン画像、及びその情報を文字列として含んだ画像を印刷する文書に付加した印刷物が作成される。
【００２４】
本発明に係る画像形成装置は、前記情報は文字列により構成された情報であり、前記２種類の画像のうち、一方は、前記文字列の一部又は全部を含んだ画像であり、他方は、前記文字列に基づくパターンを埋め込んだ画像であることを特徴とする。
【００２５】
本発明にあっては、受付ける情報は文字列により構成された情報であり、生成する２種類の画像のうち、一方は文字列の一部又は全部を含んだ画像であり、他方は文字列に基づくパターンを埋め込んだ画像であるため、１つの情報からその情報を文字列として含んだ画像、及びその情報をパターンとして含んだ画像を付加した印刷物が作成される。
【００２６】
本発明に係る情報処理装置は、画像データを受付け、受付けた画像データに基づいて画像形成を要求するジョブを生成し、生成したジョブを外部へ送信する情報処理装置において、情報を受付ける手段と、受付けた情報に基づき、互いに関連性を有する２種類の画像を含んだ画像データを生成する手段と、生成した画像データを、受付けた画像データに合成する手段とを備え、合成して得られた画像データに基づいて送信すべきジョブを生成するようにしてあることを特徴とする。
【００２７】
本発明にあっては、ジョブを送信する際に受付けた情報に基づいて互いに関連性を有する２種類の画像を含んだ画像データ生成し、生成した画像データを印刷対象の画像データに合成し、合成して得られた画像データに基づいてジョブを生成し、画像形成装置へ送信するようにしているため、例えば、１つの情報からその情報を含んだパターン画像、及びその情報を文字列として含んだ画像を印刷する文書に付加した印刷物が作成される。
【００２８】
本発明に係る情報処理装置は、前記情報は文字列により構成された情報であり、前記２種類の画像のうち、一方は、前記文字列の一部又は全部を含んだ画像であり、他方は、前記文字列に基づくパターンを埋め込んだ画像であることを特徴とする。
【００２９】
本発明にあっては、受付ける情報は文字列により構成された情報であり、生成する２種類の画像のうち、一方は文字列の一部又は全部を含んだ画像であり、他方は文字列に基づくパターンを埋め込んだ画像であるため、１つの情報からその情報を文字列として含んだ画像、及びその情報をパターンとして含んだ画像を付加した印刷物が作成される。
【００３０】
本発明に係るコンピュータプログラムは、コンピュータに、受付けた画像データ及び所定の情報を含み、前記画像データに基づく画像形成を要求するジョブを生成させるステップを有するコンピュータプログラムにおいて、コンピュータに、前記情報に基づいて互いに関連性を有する２種類の画像を含んだ画像データを生成させるステップと、コンピュータに、生成させた画像データを、受付けた画像データに合成させるステップとを有することを特徴とする。
【００３１】
本発明にあっては、受付けたジョブに含まれる情報に基づいて互いに関連性を有する２種類の画像を含んだ画像データを生成し、生成した画像データをジョブに含まれる画像データに合成し、合成して得られた画像データに基づいてシート上に画像形成を行うようにしているため、例えば、１つの情報からその情報を含んだパターン画像、及びその情報を文字列として含んだ画像を印刷する文書に付加した印刷物が作成される。
【発明の効果】
【００３２】
本発明による場合は、受信したジョブに含まれる情報に基づいて互いに関連性を有する２種類の画像を含んだ画像データを生成し、生成した画像データをジョブに含まれる画像データに合成し、合成して得られた画像データに基づいてシート上に画像形成を行うようにしている。したがって、例えば、１つの情報からその情報を含んだパターン画像、及びその情報を文字列として含んだ画像を付加した印刷物が作成され、機密性に関して安全性が高い印刷物を作成することができる。
【００３３】
また、本発明による場合は、ジョブを送信する際に受付けた情報に基づいて互いに関連性を有する２種類の画像を含んだ画像データ生成し、生成した画像データを印刷対象の画像データに合成し、合成して得られた画像データに基づいてジョブを生成し、画像形成装置へ送信するようにしている。したがって、例えば、１つの情報からその情報を含んだパターン画像、及びその情報を文字列として含んだ画像を印刷する文書に付加した印刷物が作成され、機密性に関して安全性が高い印刷物を作成することができる。
【００３４】
本発明による場合は、受付ける情報は文字列により構成された情報であり、生成する２種類の画像のうち、一方は文字列の一部又は全部を含んだ画像であり、他方は文字列に基づくパターンを埋め込んだ画像である。したがって、１つの情報からその情報を文字列として含んだ画像、及びその情報をパターンとして含んだ画像を付加した印刷物が作成され、機密性に関して安全性が高い印刷物を作成することができる。
【００３５】
本発明による場合は、パターンを埋め込んだ画像は、地紋画像又は透かし画像により構成されているため、複製を抑止する効果を印刷物に持たせることができる。
【００３６】
本発明による場合は、受付ける情報は、シートの配布先、シートの複写を禁止する旨の情報を含むため、印刷物の配布先が限定され、機密性に関して安全性を高めることができる。
【００３７】
本発明による場合は、受付けた情報に基づいて印刷する部数が設定されるため、複数の配布先に配布する印刷物を作成する場合に有用である。
【発明を実施するための最良の形態】
【００３８】
以下、本発明をその実施の形態を示す図面に基づいて具体的に説明する。
実施の形態１．
図１は本発明に係る画像形成システムの概略構成を示す模式図である。本発明に係る画像形成システムは、パーソナルコンピュータ等の情報処理装置１００と、プリンタ装置、デジタル複合機等の画像形成装置２００とを備えている。両者は有線または無線にて接続されており、情報処理装置１００にて作成された印刷ジョブを画像形成装置２００へ送信することによって印刷処理を実行する。
【００３９】
本実施の形態では、情報処理装置１００にて印刷ジョブを作成する際に潜像モードを設定できることを特徴としている。ここで、潜像モードとは、印刷する文書とは別に利用者自身が設定した文字列に基づいて画像を生成し、生成した画像を印刷する文書に埋め込むモードのことをいう。潜像モードが設定されている場合に生成する画像は、設定されている文字列を注釈情報として含んだ注釈画像、及び前記文字列を隠し文字として含んだ地紋画像である。注釈画像は人が認識できる画像であり、例えば、印刷物の配布先の情報、印刷物の複製を禁止する情報等を含めるようにしている。また、地紋画像は人の目には認識しにくい画像であり、印刷物の複写が行われた時点で隠し文字が浮かび上がるようにしている。
【００４０】
以下、システムの詳細について説明する。潜像モードの設定は、情報処理装置１００に予めインストールされたプリンタドライバにより行う。図２〜図５はプリンタドライバが生成する画面の一例を示す模式図である。情報処理装置１００にインストールされた任意のアプリケーションプログラムからプリンタドライバが起動された場合、プリンタドライバは図２に示したような印刷設定画面１０を生成し、情報処理装置１００の表示部１０６（図６参照）に表示する。
【００４１】
印刷設定画面１０には、使用するプリンタ装置を選択するためのプリンタ選択欄１１、印刷範囲の設定を受付ける印刷範囲設定欄１２、及び印刷部数の設定を受付ける印刷部数設定欄１３が配置されており、印刷処理に関する各種の設定を行えるようにしている。また、印刷設定画面１０の下部領域には実行ボタン１４及びキャンセルボタン１５が配置されている。実行ボタン１４が押下操作された場合、印刷ジョブが生成され、プリンタ選択欄１１で選択されているプリンタ装置（例えば、画像形成装置２００）へ印刷ジョブが送信される。また、キャンセルボタン１５が押下操作された場合には、印刷ジョブが生成されずに当該プリンタドライバを呼出したアプリケーションプログラムに戻す処理が行われる。
【００４２】
また、プリンタ選択欄１１にはプロパティボタン１１ａが配置されており、印刷処理に関する詳細を設定できるようにしている。プロパティボタン１１ａが押下操作された場合、プリンタドライバは図３に示したようなプロパティ画面２０を生成し、情報処理装置１００の表示部１０６に表示する。
【００４３】
プロパティ画面２０には、印刷部数の設定を受付ける印刷部数設定欄２１、用紙１枚に割付けるページ数を設定する割付ページ数設定欄２２、両面印刷に関する設定を受付ける両面印刷設定欄２３、ステープル処理に関する設定を受付ける仕上げ設定欄２４、ユーザに関する設定を行うためのユーザ設定ボタン２５、印刷ジョブに関する設定を行うためのジョブ管理ボタン２６が配置されており、印刷処理の詳細に関して各種の設定を行えるようにしている。また、プロパティ画面２０の下部領域には実行ボタン２７及びキャンセルボタン２８が配置されている。実行ボタン２７が押下操作された場合、プロパティ画面２０での設定内容を保持した上で前述した印刷設定画面１０に戻す処理が行われ、キャンセルボタン２８が押下操作された場合、設定内容を保持することなく印刷設定画面１０に戻す処理が行われる。
【００４４】
また、プロパティ画面２０においてジョブ管理ボタン２６が押下操作された場合、プリンタドライバは図４に示したようなジョブ管理画面３０を生成し、情報処理装置１００の表示部１０６に表示する。
【００４５】
ジョブ管理画面３０には、印刷ジョブの保存（ホールド）に関する設定を受付けるリテンション設定部３１、部門番号の入力を受付ける部門番号入力欄３２、印刷者名およびジョブ名の入力を受付けるデフォルトジョブ設定欄３４、潜像モードに関する設定を行うための潜像モードボタン３５が配置されており、印刷ジョブに関する詳細を設定できるようにしている。また、ジョブ管理画面３０の下部領域には実行ボタン３６及びキャンセルボタン３７が配置されている。実行ボタン３６が押下操作された場合、ジョブ管理画面３０での設定内容を保持した上で前述したプロパティ画面２０に戻す処理が行われ、キャンセルボタン３７が押下操作された場合、設定内容を保持することなくプロパティ画面２０に戻す処理が行われる。
【００４６】
また、ジョブ管理画面３０において潜像モードボタン３５が押下操作された場合、プリンタドライバは図５に示したような潜像モード設定画面４０を生成し、情報処理装置１００の表示部１０６に表示する。
【００４７】
潜像モード設定画面４０には、地紋画像に埋め込む文字列（隠し文字）を選択又は設定するためのチェックボックス群４１、選択又は設定された文字列のフォント、サイズ、及びスタイルの設定を受付ける文字属性設定部４２、隠し文字の濃度及び角度をスライダにより設定できるようにしたスライダ設定部４３が配置されており、地紋画像に埋め込む文字列に関する設定をできるようにしている。チェックボックス群４１で選択できる文字列としては、印刷者名、ホスト名（すなわち、画像形成装置２００に付された名前）、画像形成装置２００のＩＰアドレス、印刷日時が挙げられる。また、最下段のチェックボックスをチェックし、文字列入力欄４１ａに任意の文字列を入力することによって地紋画像に任意の文字列を埋め込むことができるようにしている。図５に示した例では、任意の文字列として「配付先：知財部」が設定され、その文字列のフォントを「ゴシック」、サイズを８０ポイント、スタイルを太字で埋め込むことが設定されている。また、スライダ設定部４３により、隠し文字の角度が４５度に設定されている。
【００４８】
潜像モード設定画面４０の下部領域には初期設定ボタン４４、プレビューボタン４５、適用ボタン４６、実行ボタン４７、及びキャンセルボタン４８が配置されている。初期設定ボタン４４が押下操作された場合、文字属性設定部４２及びスライダ設定部４３の設定値を初期値に戻す処理が行われる。また、プレビューボタン４５が押下操作された場合、設定された内容に基づいて地紋画像のプレビューが作成され、表示部１０６に表示される。適用ボタン４６が押下操作された場合、設定内容が確定され、実行ボタン４７が押下操作された場合、潜像モードを有効にした上で前述したジョブ管理画面３０に戻す処理が行われる。また、キャンセルボタン４８が押下操作された場合、潜像モードを無効にした上でジョブ管理画面３０に戻す処理が行われる。なお、潜像モード設定画面４０にて設定された内容を以下では注釈情報と称することとする。
【００４９】
次いで、情報処理装置１００及び画像形成装置２００の構成について説明する。図６は情報処理装置１００及び画像形成装置２００の内部構成を示すブロック図である。情報処理装置１００は、ＣＰＵ１０１を備えており、このＣＰＵ１０１がＲＯＭ１０３に格納された制御プログラムをＲＡＭ１０４にロードして実行することにより、バス１０２に接続された各種ハードウェアを制御し、本発明の情報処理装置として動作させる。
【００５０】
以下、バス１０２に接続されている各種ハードウェアについて説明する。操作部１０５は、キーボード、マウス等の入力デバイスであり、利用者による操作指示、データの入力、選択操作等を受付ける。表示部１０６は、ＣＲＴディスプレイ又は液晶ディスプレイを備えており、操作部１０５を通じて入力された情報、利用者に対して通知すべき情報の他、前述したプリンタドライバが生成する印刷設定画面１０等が表示される。
【００５１】
補助記憶部１０７は、ＦＤ、ＣＤ−ＲＯＭ等の記録媒体に記録されている各種データを読取るためのＦＤドライブ、ＣＤ−ＲＯＭドライブ等により構成されている。例えば、プリンタドライバがＦＤにより提供されている場合、この補助記憶部１０７によって読取られ、記憶部１０８にインストールされる。記憶部１０８は、例えばＨＤＤ装置であり、補助記憶部１０７により読取られたデータ及びアプリケーションプログラム、通信ＩＦ１０９を通じて受信したデータ、内部で作成されたデータ等が記憶される。
【００５２】
通信ＩＦ１０９は、通信ネットワークＮの通信規格に準拠した通信インタフェースを備えており、画像形成装置２００に接続できるようにしている。通信ＩＦ１０９では、接続された画像形成装置２００へ印刷ジョブを送信するとともに、画像形成装置２００から送信されてくる各種情報を受信する。通信ＩＦ１０９ではこのような各種データの送受信の制御を行う。
【００５３】
画像形成装置２００は、ＣＰＵ２０１を備えており、このＣＰＵ２０１がＲＯＭ２０３に格納された制御プログラムをＲＡＭ２０４にロードして実行することにより、バス２０２に接続された各種ハードウェアを制御し、本発明の画像形成装置として動作させる。
【００５４】
以下、バス２０２に接続されている各種ハードウェアについて説明する。操作パネル２０５は、利用者による操作指示を受付ける操作部と、利用者に対して報知すべき情報を表示する表示部とにより構成される。操作部は各種のハードウェアキーを備えており、機能の切替操作、プリント枚数、画像形成時の濃度等の設定を受付ける。表示部は液晶ディスプレイ又はＬＥＤディスプレイ等を備えており、画像形成装置２００の動作状況、操作部を通じて入力された設定値等を表示する。また、表示部の一部にはタッチパネル方式のソフトウェアキーが配置され、利用者による選択操作等を受付けるようにしている。
【００５５】
画像読取部２０６は、読取用の原稿に光を照射する光源、ＣＣＤ（Charge Coupled Device）のようなイメージセンサ、ＡＤ変換器等を備えており（不図示）、所定の読取り位置にセットされた原稿の画像を当該イメージセンサに結像させてアナログ電気信号に変換し、得られたアナログ電気信号をＡＤ変換器によりデジタル信号に変換する。そして、ＡＤ変換して得られたデジタル信号に対して、原稿読取時の光源の配光特性、イメージセンサの感度ムラ等の補正を施すことによりデジタル形式の画像データを生成する。
【００５６】
通信ＩＦ２０７は、通信ネットワークＮの通信規格に準拠した通信インタフェースを備えており、情報処理装置１００を接続できるようにしている。通信ＩＦ２０７では、接続された情報処理装置１００からの印刷ジョブを受信するとともに、情報処理装置１００へ通知すべき情報を送信する。通信ＩＦ２０７ではこのような各種データの送受信の制御を行う。なお、通信ＩＦ２０７で受信した印刷ジョブは画像処理部２０８へ転送される。
【００５７】
画像処理部２０８は、通信ＩＦ２０７にて受信した印刷ジョブを印刷用の画像データに展開するとともに、展開した画像データに基づいて必要な画像処理を行う。図７は画像処理部２０８の内部構成を示すブロック図である。画像処理部２０８は、通信ＩＦ２０７から転送されてきた印刷ジョブを一時的に保持する入力バッファ２０８ａ、入力バッファ２０８ａに保持した印刷ジョブを展開するジョブ展開部２０８ｂ、印刷ジョブに含まれる注釈情報に基づいて付加画像（本実施の形態の場合、注釈画像及び地紋画像の２種類）を生成する付加画像生成部２０８ｄ、印刷ジョブから展開される画像（印刷文書）と付加画像生成部２０８ｄが生成した付加画像とを合成する画像合成部２０８ｃ、及び画像合成部２０８ｃにて合成された画像を一時的に保持する出力バッファ２０８ｅを備えている。画像形成装置２００のＣＰＵ２０１は、出力バッファ２０８ｅに保持された画像を読み出すことによって、合成後の画像データを取得する。
なお、通信ＩＦ２０７から転送されてくる印刷ジョブに注釈情報が含まれていない場合には、画像合成部２０８ｃはジョブ展開部２０８ｂにより展開された画像をそのまま出力バッファ２０８ｅに出力する。
【００５８】
画像形成部２０９は、画像処理部２０８から転送されてきた画像データに基づいて用紙上に画像形成を行う。そのため、画像形成部２０９は、感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（不図示）を備えており、電子写真方式にて利用者が所望する画像を用紙上に形成する。なお、レーザ書込装置を用いた電子写真方式により画像形成を行う他、インクジェット方式、熱転写方式、昇華方式等により画像形成を行う構成であってもよい。
【００５９】
以下、情報処理装置１００及び画像形成装置２００の動作をフローチャートを用いて説明する。図８は情報処理装置１００及び画像形成装置２００が実行する処理の手順を示すフローチャートである。情報処理装置１００にて印刷する文書が選択され（ステップＳ１１）、プリンタドライバが起動された場合（ステップＳ１２）、ＣＰＵ１０１は、図２に示した印刷設定画面１０を通じて印刷ジョブの送信要求があるか否かを判断する（ステップＳ１３）。印刷ジョブの送信要求がないと判断した場合（Ｓ１３：ＮＯ）、印刷ジョブの送信要求があるまで待機する。
【００６０】
印刷設定画面１０に配置されている実行ボタン１４が押下操作されたと判断した場合、すなわち、印刷ジョブの送信要求があると判断した場合（Ｓ１３：ＹＥＳ）、潜像モード設定画面４０を通じて潜像モードが設定されているか否かを判断する（ステップＳ１４）。潜像モードが設定されていると判断した場合（Ｓ１４：ＹＥＳ）、潜像モードを有効にして印刷ジョブを生成し（ステップＳ１５）、潜像モードが設定されていないと判断した場合（Ｓ１４：ＮＯ）、潜像モードを無効にして印刷ジョブを生成する（ステップＳ１６）。そして、生成した印刷ジョブを通信ネットワークＮを介して画像形成装置２００へ送信する（ステップＳ１７）。
【００６１】
画像形成装置２００のＣＰＵ２０１は、電源投入後の待機状態において適宜の時間間隔で印刷ジョブを受信したか否かを判断しており（ステップＳ１８）、印刷ジョブを受信していないと判断した場合（Ｓ１８：ＮＯ）、印刷ジョブを受信するまで待機する。
【００６２】
情報処理装置１００から送信された印刷ジョブを受信したと判断した場合（Ｓ１８：ＹＥＳ）、ＣＰＵ２０１は、受信した印刷ジョブを画像処理部２０８へ転送し、ジョブ展開部２０８ｂにて印刷ジョブを展開する（ステップＳ１９）。次いで、ＣＰＵ２０１は、展開した印刷ジョブに基づいて潜像モードが有効であるか否かを判断する（ステップＳ２０）。潜像モードが有効であると判断した場合（Ｓ２０：ＹＥＳ）、付加画像生成部２０８ｄは、印刷ジョブに含まれる注釈情報に基づいて注釈画像及び地紋画像を生成し（ステップＳ２１）、生成した注釈画像及び地紋画像を画像合成部２０８ｃへ送出する。なお、注釈画像及び地紋画像の生成は一の画像データとして生成してもよく、また、それぞれ個別の画像データとして生成してもよい。そして、画像合成部２０８ｃは、ジョブ展開部２０８ｂから送出された画像、すなわち、印刷する文書に注釈画像及び地紋画像を合成し（ステップＳ２２）、合成して得られた画像データを出力バッファ２０８ｅから出力する。そして、画像形成部２０９は、画像処理部２０８から出力された画像データに基づいて印刷処理を実行する（ステップＳ２３）。
【００６３】
一方、ステップＳ２０において潜像モードが有効でないと判断した場合（Ｓ２０：ＮＯ）、注釈画像及び地紋画像の生成、並びに画像合成を実行することなく、印刷ジョブを展開して得られた画像データに基づいて印刷処理を実行する（Ｓ２３）。
【００６４】
図９は画像形成装置２００にて出力される印刷物を説明する説明図である。例えば、図９（ａ）に示したような文書を情報処理装置１００にて作成し、この文書に基づいて印刷ジョブを生成させる際、注釈情報として図５で説明した設定値を設定している場合、「配布先：知財部」の文字列を含んだ注釈画像８１、及び前記文字列を隠し文字として含んだ地紋画像８２が合成された印刷物が画像形成装置２００にて作成される（図９（ｂ）参照）。この地紋画像８２は、コピー機等で複写を行っても残る大きさの前景ドット群８２ａと、前景ドット群８２ａが目立たないように配置した微小の背景ドット群８２ｂとにより構成されている。そのため、隠し文字を前景ドット群８２ａで構成した場合、表面上は元の原稿とあまり変わらない印刷物が作成されることとなるが、コピー機等で複写を行った場合、背景ドット群８２ｂが原稿読取時又は画像形成時に消え、隠し文字として埋め込んだ「配布先：知財部」の文字列が浮かび上がるようになる（図９（ｃ）参照）。したがって、作成された印刷物の配布先を注釈画像８１により一見して認識することができるが、注釈画像８１として付加した文字列が修正液等により削除された場合であっても、配布先に関する情報は隠し文字として残されることになる。
【００６５】
なお、本実施の形態では、隠し文字として印刷物の配布先に関する情報を埋め込む形態について説明したが、「複写禁止」、「機密文書」等の文字列を埋め込む場合も、印刷物の機密性を確保するために有効である。
【００６６】
また、本実施の形態では、隠し文字を地紋画像により埋め込む構成としたが、透かし画像により埋め込む構成としてもよい。ここで、透かし画像とは、対象の文字列を人の目には見えない形で埋め込む画像のことであり、識別可能なドットパターンで形成することができる。
【００６７】
また、潜像モード設定画面４０に設定ボタンを設けることにより、注釈画像の合成の要否を受付けるようにしてもよい。
【００６８】
実施の形態２．
実施の形態１では潜像モードが設定されている場合、画像形成装置２００にて注釈画像及び地紋画像を生成し、印刷する文書に合成する構成としたが、情報処理装置１００にて予め注釈画像及び地紋画像を合成した画像データを生成し、その画像データに基づいて印刷ジョブを生成する構成であってもよい。この場合、既存の画像形成システムを用いる場合であっても、プリンタドライバのみを更新することにより本発明を実現することができる。
【００６９】
図１０は情報処理装置１００及び画像形成装置２００が実行する処理の手順を示すフローチャートである。情報処理装置１００にて印刷する文書が選択され（ステップＳ３１）、プリンタドライバが起動された場合（ステップＳ３２）、情報処理装置１００のＣＰＵ１０１は、図２に示したような印刷設定画面１０を通じて印刷ジョブの送信要求があるか否かを判断する（ステップＳ３４）。印刷ジョブの送信要求がないと判断した場合（Ｓ３４：ＮＯ）、印刷ジョブの送信要求があるまで待機する。
【００７０】
印刷ジョブの送信要求があると判断した場合（Ｓ３４：ＹＥＳ）、図５に示したような潜像モード設定画面４０を通じて潜像モードが設定されているか否かを判断する（ステップＳ３５）。潜像モードが設定されていると判断した場合（Ｓ３５：ＹＥＳ）、潜像モード設定画面４０を通じて設定された注釈情報に基づいて注釈画像及び地紋画像を生成し（ステップＳ３６）、印刷する文書に合成する（ステップＳ３７）。本実施の形態では、注釈画像及び地紋画像の合成をソフトウェアの処理、すなわち、ＣＰＵ１０１の演算処理にて行う。次いで、ＣＰＵ１０１は、合成して得られた画像データに基づいて印刷ジョブを生成し（ステップＳ３８）、生成した印刷ジョブを画像形成装置２００へ送信する（ステップＳ３９）。一方、ステップＳ３５において、潜像モードが設定されていないと判断した場合（Ｓ３５：ＮＯ）、注釈画像及び地紋画像の生成、並びに合成を実行することなく印刷ジョブを生成し（Ｓ３８）、生成した印刷ジョブを画像形成装置２００へ送信する（Ｓ３９）。
【００７１】
画像形成装置２００のＣＰＵ２０１は、電源投入後の待機状態において適宜の時間間隔で印刷ジョブを受信したか否かを判断しており（ステップＳ４０）、印刷ジョブを受信していないと判断した場合（Ｓ４０：ＮＯ）、印刷ジョブを受信するまで待機する。
【００７２】
情報処理装置１００から送信された印刷ジョブを受信したと判断した場合（Ｓ４０：ＹＥＳ）、ＣＰＵ２０１は、受信した印刷ジョブを画像処理部２０８にて展開し（ステップＳ４１）、得られた画像データを画像形成部２０９へ出力する。なお、本実施の形態では、画像処理部２０８は印刷ジョブの展開、画質の調整のみを行う。そして、画像形成部２０９は、画像処理部２０８から出力された画像データに基づいて印刷処理を実行する（ステップＳ４２）。
【００７３】
実施の形態３．
実施の形態１では、１つの注釈情報につき１つの付加画像（注釈画像及び地紋画像）を合成する構成としたが、データリスト又はファイルにより複数の注釈情報を予め用意しておき、印刷する部数毎に合成する付加画像を変更する構成であってもよい。
【００７４】
図１１は潜像モード設定画面５０の一例を示す模式図である。実施の形態１と同様に、潜像モードを設定するための潜像モード設定画面５０をプリンタドライバが生成する画面を通じて呼出せるようにしている。なお、情報処理装置１００及び画像形成装置２００の内部構成は実施の形態１と全く同様であり、本実施の形態では、印刷する文書に埋め込む情報を透かし画像を用いて構成する場合について説明する。
【００７５】
潜像モード設定画面５０には、透かし画像に埋め込む文字列を選択するためのチェックボックス群５１、埋め込む文字列を所定のフォーマットで記述したファイルを参照するためのファイル参照チェックボックス５２、所定のフォーマットで記述した文字列を受付けるためのユーザ定義情報設定部５３が配置されており、透かし画像に埋め込む文字列を設定できるようにしている。チェックボックス群５１で選択できる文字列としては、印刷者名、送信元ＩＰアドレス、印刷先ＩＰアドレス、印刷日時が挙げられる。また、ファイル参照チェックボックス５２をチェックした場合、参照ボタン５２ａを通じて選択されたファイルに記述されている文字列が透かし画像に埋め込まれる。また、ファイルを予め作成することなく、ユーザ定義情報設定部５３の定義情報入力欄５３ａに直接的に入力することも可能にしている。
【００７６】
図１１に示した例では、ユーザ定義情報設定部５３の定義情報入力欄５３ａに所定のフォーマットで文字列が入力された様子を示している。ここで、注釈情報として３種類の文字列「配布先￥ｎ知財部￥ｒ」、「配布先￥ｎ企画部￥ｒ」、「配布先￥ｎ技術部￥ｒ」が定義されている。ここで、「￥ｎ」はスペースを表す文字コード、「￥ｒ」は改行を表す文字コード（改行コード）であり、改行コードによって一の注釈情報と他の注釈情報とが区切られている。
【００７７】
潜像モード設定画面５０の下部領域には初期設定ボタン５４、プレビューボタン５５、適用ボタン５６、実行ボタン５７、及びキャンセルボタン５８が配置されている。初期設定ボタン５４が押下操作された場合、潜像モード設定画面５０での設定値を初期値に戻す処理が行われる。また、プレビューボタン５５が押下操作された場合、設定された内容に基づいて透かし画像のプレビューが作成され、情報処理装置１００の表示部１０６に表示される。適用ボタン５６が押下操作された場合、潜像モード設定画面５０での設定内容が確定される。また、実行ボタン５７が押下操作された場合、潜像モードを有効にする処理が行われ、プリンタドライバは潜像モードを有効にする旨の情報を含んだ印刷ジョブを生成する。一方、キャンセルボタン５８が押下操作された場合、潜像モードを無効にする処理が行われ、プリンタドライバは潜像モードを無効にする旨の情報を含んだ印刷ジョブを生成する。
【００７８】
図１２は画像形成装置２００にて出力される印刷物を説明する説明図である。例えば、図１２（ａ）に示したような文書を情報処理装置１００にて作成し、この文書に基づいて印刷ジョブを生成させる際、図１１に例示した定義情報をユーザ定義情報設定部５３に設定している場合、画像形成装置２００は、「配布先  知財部」の文字列を含んだ注釈画像９１ａおよび透かし画像９１ｂを合成した印刷物、「配布先  企画部部」の文字列を含んだ注釈画像９２ａおよび透かし画像９２ｂを合成した印刷物、並びに「配布先  技術部」の文字列を含んだ注釈画像９３ａおよび透かし画像９３ｂを合成した印刷物を作成する。これらの透かし画像９１ｂ，９２ｂ，９３ｂは、隠し文字を構成する前景ドット群と、隠し文字が容易に認識できないように配置した背景ドット群とにより構成されている。そのため、人の目には容易に認識できないようになっているが、拡大鏡又は専用の読取機等を用いて検出できるようにしている。
なお、図１２に示した例では、用紙の全面に透かし画像を形成するようにしているが、一部の領域にのみ形成する構成としてもよい。
【００７９】
図１３は画像形成装置２００が実行する処理の手順を説明するフローチャートである。画像形成装置２００のＣＰＵ２０１は、電源投入後の待機状態において適宜の時間間隔で印刷ジョブを受信したか否かを判断しており（ステップＳ５１）、印刷ジョブを受信していないと判断した場合（Ｓ５１：ＮＯ）、印刷ジョブを受信するまで待機する。
【００８０】
情報処理装置１００から送信された印刷ジョブを受信したと判断した場合（Ｓ５１：ＹＥＳ）、ＣＰＵ２０１は、受信した印刷ジョブを画像処理部２０８へ転送し、ジョブ展開部２０８ｂにて印刷ジョブを展開する（ステップＳ５２）。次いで、ＣＰＵ２０１は、展開した印刷ジョブに基づいて潜像モードが有効であるか否かを判断する（ステップＳ５３）。潜像モードが有効であると判断した場合（Ｓ５３：ＹＥＳ）、付加画像生成部２０８ｄは、印刷ジョブに含まれる注釈情報に基づいて注釈画像及び透かし画像を生成し（ステップＳ５５）、生成した注釈画像及び透かし画像を画像合成部２０８ｃへ送出する。
【００８１】
そして、画像合成部２０８ｃは、ジョブ展開部２０８ｂから送出された画像、すなわち、印刷する文書に注釈画像及び透かし画像を合成し（ステップＳ５６）、合成して得られた画像データを出力バッファ２０８ｅから出力する。そして、画像形成部２０９は、画像処理部２０８から出力された画像データに基づいて印刷処理を実行する（ステップＳ５７）。
【００８２】
次いで、ＣＰＵ２０１は、他の注釈情報があるか否かを判断する（ステップＳ５８）。すなわち、参照するファイルに複数の注釈情報が定義されている場合、又は定義情報入力欄５３ａに複数の注釈情報が定義されている場合において、印刷物を作成していない注釈情報があるか否かを判断する。注釈情報があると判断した場合（Ｓ５８：ＹＥＳ）、処理をステップＳ５５へ戻し、注釈情報がないと判断した場合（Ｓ５８：ＮＯ）、本ルーチンによる処理を終了する。また、ステップＳ５３において、潜像モードが有効になっていないと判断した場合（Ｓ５３：ＮＯ）、印刷ジョブを展開して得られた画像データを画像形成部２０９に転送し、印刷処理を実行する（ステップＳ５４）。
【００８３】
なお、本実施の形態では、隠し文字を透かし画像により埋め込む構成としたが、実施の形態１で説明した地紋画像により埋め込む構成としてもよいことは勿論のことである。
【００８４】
また、本実施の形態では、注釈画像と透かし画像とに同じ文字列を埋め込む構成としたが、注釈画像に埋め込む文字列と透かし画像に埋め込む文字列とを異ならせてもよい。例えば、図１１及び図１２に示した例において、注釈画像には「配布先  知財部」の文字列を埋め込み、透かし画像には「知財部」の文字列を埋め込むようにしてもよい。この場合、例えば「￥ｎ」の文字コードで「配布先」の文字列と「知財部」の文字列とを分けておくことにより、画像形成装置２００側で認識することができ、前述した処理を容易に実現することができる。
【図面の簡単な説明】
【００８５】
【図１】本発明に係る画像形成システムの概略構成を示す模式図である。
【図２】プリンタドライバが生成する画面の一例を示す模式図である。
【図３】プリンタドライバが生成する画面の一例を示す模式図である。
【図４】プリンタドライバが生成する画面の一例を示す模式図である。
【図５】プリンタドライバが生成する画面の一例を示す模式図である。
【図６】情報処理装置及び画像形成装置の内部構成を示すブロック図である。
【図７】画像処理部の内部構成を示すブロック図である。
【図８】情報処理装置及び画像形成装置が実行する処理の手順を示すフローチャートである。
【図９】画像形成装置にて出力される印刷物を説明する説明図である。
【図１０】情報処理装置及び画像形成装置が実行する処理の手順を示すフローチャートである。
【図１１】潜像モード設定画面の一例を示す模式図である。
【図１２】画像形成装置にて出力される印刷物を説明する説明図である。
【図１３】画像形成装置が実行する処理の手順を説明するフローチャートである。
【符号の説明】
【００８６】
１００  情報処理装置  
１０１  ＣＰＵ  
１０３  ＲＯＭ
１０９  通信ＩＦ  
２００  画像形成装置
２０１  ＣＰＵ
２０３  ＲＯＭ
２０７  通信ＩＦ
２０８  画像処理部
２０８ａ  入力バッファ
２０８ｂ  ジョブ展開部
２０８ｃ  画像合成部
２０８ｄ  付加画像生成部
２０８ｅ  出力バッファ
２０９  画像形成部
Ｎ  通信ネットワーク
【図１】
2006119735.tif 000003
【図２】
2006119735.tif 000004
【図３】
2006119735.tif 000005
【図４】
2006119735.tif 000006
【図５】
2006119735.tif 000007
【図６】
2006119735.tif 000008
【図７】
2006119735.tif 000009
【図８】
2006119735.tif 000010
【図９】
2006119735.tif 000011
【図１０】
2006119735.tif 000012
【図１１】
2006119735.tif 000013
【図１２】
2006119735.tif 000014
【図１３】
2006119735.tif 000015